(57)【要約】【課題】ダイナミックダンパの取り付けが容易で、円筒体における様々な曲げモードに対応できる円筒体の防振構造及びこれを用いた画像形成装置を提供する。【解決手段】回転する円筒体１の防振構造において、外的振動要因３に伴って円筒体１に生ずる外的振動要因周波数４が減衰せしめられる固有振動数を持つダイナミックダンパ２を、円筒体１全長に対して端から４分の１の範囲に設ける。また、この円筒体１の防振構造を適用した画像形成装置をも対象とする。【選択図】　図１
2004109628.tif 000002
【特許請求の範囲】
【請求項１】
回転する円筒体の防振構造において、
外的振動要因に伴って円筒体に生ずる外的振動要因周波数が減衰せしめられる固有振動数を持つダイナミックダンパを、円筒体全長に対して端から４分の１の範囲に設けたことを特徴とする円筒体の防振構造。
【請求項２】
請求項１記載の円筒体の防振構造のうち、交流電圧成分が印加される接触帯電体を円筒体に接触させる態様において、
ダイナミックダンパは、前記交流電圧成分周波数の偶数倍である外的振動要因周波数が減衰せしめられる固有振動数を持つことを特徴とする円筒体の防振構造。
【請求項３】
請求項１記載の円筒体の防振構造において、
ダイナミックダンパは、円筒体の軸方向の振動成分を低減する要素を備えることを特徴とする円筒体の防振構造。
【請求項４】
請求項１記載の円筒体の防振構造において、
ダイナミックダンパは、円筒体の軸方向両側に取り付けられ且つ作用が異なる対構成を有していることを特徴とする円筒体の防振構造。
【請求項５】
請求項１記載の円筒体の防振構造において、
ダイナミックダンパは、円筒体の軸方向両側に取り付けられ且つ同一形状で取り付け位置が異なる対構成を有していることを特徴とする円筒体の防振構造。
【請求項６】
請求項１記載の円筒体の防振構造において、
ダイナミックダンパは、円筒体端部に取り付けられるフランジに設けられていることを特徴とする円筒体の防振構造。
【請求項７】
請求項６記載の円筒体の防振構造において、
ダイナミックダンパは、前記フランジから着脱自在であることを特徴とする円筒体の防振構造。
【請求項８】
請求項６記載の円筒体の防振構造において、
ダイナミックダンパは、円筒体に対するフランジの取り付けと同時に円筒体に固定されることを特徴とする円筒体の防振構造。
【請求項９】
請求項１記載の円筒体の防振構造において、
ダイナミックダンパは、弾性体及び剛体で構成されていることを特徴とする円筒体の防振構造。
【請求項１０】
請求項１記載の円筒体の防振構造において、
ダイナミックダンパは、アース機能を備えていることを特徴とする円筒体の防振構造。
【請求項１１】
請求項１乃至１０いずれかに記載の円筒体の防振構造を備えた画像形成装置。
【発明の詳細な説明】
【０００１】
【発明の属する技術分野】
本発明は、回転する円筒体の防振構造に係り、特に、円筒体に生ずる各種の曲げモードに対して容易に対応できるようにした円筒体の防振構造及びこれを用いた画像形成装置の改良に関する。
【０００２】
【従来の技術】
従来、回転する円筒体の防振構造として、例えば、図１０に示すように、接触帯電方式を用いた画像形成装置においては、接触帯電される円筒体１１の略中央内部に梁状のダイナミックダンパ２６，２７を設置し、このダイナミックダンパ２６，２７の固有振動数を円筒体１１に印加される帯電周波数の２倍に一致させることにより、円筒体１１の帯電時に発生する静電力による加振力を抑制し、円筒体１１の振動を低減させる提案がある（例えば、特許文献１参照。）。
【０００３】
このような従来技術において、円筒体１１は中空の管状をしており、この円筒体１１の略中央内部にダンパベース２５が設置され、このダンパベース２５の両端面に片持ち梁状のダイナミックダンパ２６，２７が接合されている。
また、導電板３１に固着、支持された導電ブラシ３２が円筒体１１に当接されており、円筒体１１が図中矢印方向に回転することによって導電ブラシ３２と円筒体１１は擦り合わされる状態になっている。
更に、導電ブラシ３２には、導電板３１と結線された電源３３から振動電圧が印加され、円筒体１１へ帯電が行われる。その振動電圧の波形は、直流成分に交流成分が加わったものである。
【０００４】
このとき、導電ブラシ３２と円筒体１１の間に発生する静電力は、導電ブラシ３２と円筒体１１の表面に発生する電荷が常に異符号である為、引力となって導電ブラシ３２と円筒体１１を互いに引き合わせ、これが加振力となる。しかし、印加される振動電圧は交流成分を有するため、この交流成分が円筒体１１や帯電板３１の固有振動数に一致したときに大きな共振振動、騒音を発生させることが実験上確認されている。
このため、上記従来技術は、円筒体１１に生じる振動の周波数に一致する固有振動数を有するダイナミックダンパ２６，２７を円筒体１１の略中央内部に設けることにより、帯電時に生じる円筒体１１の振動及び振動による騒音を低減させるものである。
【０００５】
【特許文献１】
特開平７−１９９７３１号公報（第４−８頁、図１）
【０００６】
【発明が解決しようとする課題】
しかしながら、上述した従来技術にあっては、以下のような技術的課題が見られる。
まず、ダンパベース２５及びダイナミックダンパ２６，２７の固定方法が難しい点や、それに伴う製造コスト高、更にリサイクル性の面での問題点が挙げられる。ダンパベース２５を軽圧入で円筒体１１内に設置した場合は、円筒体１１の外径が変形し、円筒体１１の振れが増加してしまう。
これに対しダンパベース２５を接着設置する場合は、設置方法が難しいため、製造時間がかかりコスト高の原因になってしまう等の問題点がある。更にこの態様によると、ダイナミックダンパ２６，２７の取り換えが難しく、リサイクル性の点で問題がある。
【０００７】
次に、円筒体１１が振動するときの振動モードにおいて、曲げ２次モードに対応できない点が挙げられる。
回転する円筒体１１が振動する形態には、例えば図２（ａ）（ｂ）に示すように、円筒体１（１０，１１）の中央部が腹となる曲げ１次モードや、円筒体１１の中央部が節となる曲げ２次モードがある。しかし円筒体１１の略中央内部にダイナミックダンパ２６，２７を取り付けた場合、図２（ａ）に示すように、円筒体１１の略中心部が大きく振動する曲げ１次モードに対しては効果的である一方、図２（ｂ）のように円筒体１１の中央部があまり振動しない曲げ２次モードおいて、ダイナッミクダンパ２５，２６の振動抑制効果は、ほとんど得られないという問題点が生じてしまう。
【０００８】
本発明は、以上の技術的課題を解決するためにダイナミックダンパの取り付けが容易で、円筒体における様々な曲げモードに対応できる円筒体の防振構造及びこれを用いた画像形成装置を提供するものである。
【０００９】
【課題を解決するための手段】
すなわち本発明は、図１（ａ）に示すように、回転する円筒体１の防振構造において、外的振動要因３に伴って円筒体１に生ずる外的振動要因周波数４が減衰せしめられる固有振動数を持つダイナミックダンパ２を、円筒体１全長に対して端から４分の１の範囲に設けたことを特徴とするものである。
このような技術的手段において、円筒体１は、例えば画像形成装置であれば、感光体ドラムや誘電体ドラムなどの像担持ドラム、現像装置の現像ロール等の回転可能な円筒体を広く含むものである。
ここで、外的振動要因周波数４は、外的振動要因３によって円筒体１に生ずる振動周波数であり、外的振動要因３としては、例えば、図示外の駆動源から受ける振動周波数や、円筒体１に接触する部材から受ける振動周波数を広く含むものである。
また、円筒体１は、外的振動要因周波数４の交番応力によって振動するため、ダイナミックダンパ２は、この外的振動要因周波数４の固有振動を持つことにより円筒体１の振動及びこの振動による騒音を低減することができるようになる。なお、交番応力は、円筒体１に対して正負の等大荷重が繰り返しかかることにより円筒体１を振動させる力を広く含むものとする。
更に、ダイナミックダンパ２の取り付け箇所として、円筒体１の全長に対して端から４分の１の範囲としたのは以下の理由による。
すなわち、円筒体１の全長に対して端から４分の１の部位は、例えば曲げ２次モードによる振動の腹（ピーク）になる箇所であり、円筒体１のうち、この４分の１の部位から端までの範囲では曲げ１次モード、曲げ２次モード（図２参照）等の各曲げモードによる振動が必ず顕在化し、ダイナミックダンパ２による振動抑制効果が期待できることにある。
また、ダイナミックダンパ２の組み付けに際しては、後工程にて円筒体１内にダイナミックダンパ２を組み付けることになるが、その作業に際しては、円筒体１の端から治具を用いて若しくは円筒体１の端部蓋部材であるフランジ５と共にダイナミックダンパ２を挿入しなければならない。
このような組み付け作業において、円筒体１の端から４分の１の範囲であれば、ダイナミックダンパ２を簡単且つ確実に組み付けることが可能と考えられることによる。
【００１０】
特に、本発明は、円筒体１の防振構造のうち、回転する円筒体１に外的振動要因３として交流電圧成分が印加される接触帯電体３ａを接触させる態様において有効である。
この態様において、円筒体１に設置されるダイナミックダンパ２は、前記交流電圧成分周波数の偶数倍である外的振動要因周波数４が減衰せしめられる固有振動数を持つことが好ましい。
上記態様において、例えば画像形成装置であれば、外的振動要因３として用いられる接触帯電体３ａは、ローラ帯電、ブレード帯電、ブラシ帯電等の方式を広く含むものである。
また、円筒体１は、接触帯電体３ａと円筒体１の間に作用する交流電圧周波数の偶数倍の周波数（外的振動要因周波数４）の交番応力によって振動することが知られているため、この態様によれば、ダイナミックダンパ２は、円筒体１の振動を低減させ、この結果、騒音発生も低減することができる。
【００１１】
また、ダイナミックダンパ２の好ましい態様として、例えばダイナミックダンパ２は、円筒体１の軸方向の振動成分を低減する要素を備えていることが挙げられる。
この場合、円筒体における軸方向成分の振動を低減することで、結果的に径方向成分の振動をも間接的に低減できる点で好ましい。
更に、ダイナミックダンパ２の組み付けに際しては、例えば治具を用いて行うようにすればよいが、取り付け性、製造コスト低減の観点からすれば、ダイナミックダンパ２は、円筒体１の端部蓋部材であるフランジ５に設けられていることが好ましい。
【００１２】
また、ダイナミックダンパ２の好ましい別の態様として、ダイナミックダンパ２は、円筒体１の軸方向両側に取り付けられ且つ作用が異なる対構成をしていることが挙げられる。
この場合、２種類の外的振動要因周波数４による円筒体１の振動の低減が可能になる点で好ましい。
更に、簡単な構成で、円筒体１の様々な回転角度における曲げモードに対応するという観点からすれば、ダイナミックダンパ２は、円筒体１の軸方向両側に取り付けられ且つ同一形状で取り付け位置が異なる対構成を有していることが好ましい。
【００１３】
また別の観点から、ダイナミックダンパ２の好ましい態様として、前記フランジ５から着脱自在であることや、円筒体１に対するフランジ５の取り付けと同時に円筒体１に固定されることが挙げられる。
この場合、ダイナミックダンパ２は、円筒体１に直接取り付ける必要がないため、取り付け性の点で好ましく、また、ダイナミックダンパ２単体での交換が可能になるため、リサイクル性の点で好ましい。
更に、ダイナミックダンパ２の構成部材に例えば電気的に導通する素材を用いることにより、ダイナミックダンパ２自体にアース機能を持たせるようにしてもよい。
更にまた、ダイナミックダンパ２の構成の簡素化、製造コスト低減という観点からすれば、ダイナミックダンパ２は、弾性体及び剛体で構成されていることが好ましい。
【００１４】
また、本発明は、上述した円筒体１の防振構造に限られるものではなく、この円筒体１の防振構造を用いた複写機やプリンタ等の画像形成装置をも対象とする。
例えば、本発明として、図１（ｂ）に示すように、回転する円筒体１（例えば像担持ドラム）を複数配列し、夫々の円筒体１に対して接触帯電する図示外の接触帯電体を配設した画像形成装置において、上記円筒体１の防振構造を用いるものが挙げられる。
なお、図１（ｂ）において、符号６は記録材、７は記録材６を搬送する記録材搬送部材を示すが、本発明はこの態様に限定されるものではない。
【００１５】
【発明の実施の形態】
以下、添付図面に示す実施の形態に基づいて本発明を詳細に説明する。
◎実施の形態１
図３は、本発明が適用されたタンデム型画像形成装置の実施の形態１を示す説明図である。
同図において、タンデム型画像形成装置は、例えばイエロ、マゼンタ、シアン、ブラックの四色の各成分トナー像を形成する四つの画像形成ユニット１００（１００ａ〜１００ｄ）と、各画像形成ユニット１００に対向した部位に配設されて記録材Ｐを搬送するベルト搬送装置８０とを備えたものである。
なお、符号７０は記録材Ｐをベルト搬送装置８０に供給する記録部材供給装置、７１は記録材Ｐ上に転写されたカラートナー像を定着するための定着装置、７２は定着後の記録材Ｐを収容する収容トレイである。
【００１６】
本実施の形態において、画像形成ユニット１００は、感光体ドラムなどの像担持ドラム１０を回転自在に支承し、この像担持ドラム１０の周囲には例えば電子写真方式の各デバイスである接触帯電ローラ３０、帯電された像担持ドラム１０に各色成分の静電潜像を形成するレーザー走査装置やＬＥＤなどの露光装置４０、像担持ドラム１０上の各色成分の静電潜像が対応する各色トナーにて現像される現像装置４１、像担持ドラム１０上の転写後の残留トナーをクリーニングするクリーニング装置４２等を配設する一方、ベルト搬送装置８０側には各像担持ドラム１０上の各色成分トナー像が記録材Ｐに順次転写される転写装置４３を配設したものである。
【００１７】
一方、ベルト搬送装置８０は、例えば６つの張架ロール８１〜８６（本例では、８２が駆動ロールであり、残りが従動ロール）に掛け渡されて循環搬送する搬送ベルト８７を有し、本実施の形態では、搬送ベルト８７上に吸着ロール８８にて記録材Ｐを吸着保持し、各画像形成ユニット１００の各像担持ドラム１０の転写部位に沿って記録材Ｐを順次移動させるようにしたものである。
なお、図３において、符号８９は搬送ベルト８７に所定の張力を付与するテンションロール、符号９０は搬送ベルト８７表面の汚れを除去するベルトクリーナである。
【００１８】
また、本実施の形態において、円筒体としての像担持ドラム１０の防振構造は、例えば図４及び図５に示すように、像担持ドラム１０の端部に設置されるフランジ５０の内側にダイナミックダンパ２０を設けたものであり、このダイナミックダンパ２０は、板バネ２１と重り２２とで構成されている。
本実施の形態において、フランジ５０は、像担持ドラム１０の略外形寸法に対応したフランジ本体５１を有し、このフランジ本体５１の円形面内側には像担持ドラム１０の内径部に嵌合するように突出するリング状の突出ボス５２を一体的に設けたものである。
また、ダイナミックダンパ２０の構成要素である板バネ２１は、前記フランジ５０における突出ボス５２の外径部と略同程度の径寸法である円板状のバネ本体２１ａを有し、このバネ本体２１ａの中心部には円孔２１ｂを設けるとともに、この円孔２１ｂの周縁部には略９０°間隔で略矩形状の切欠き２１ｃを四つ設け、この切欠き２１ｃにより略４分割された弾性片２１ｄを形成したものである。本例において、弾性片２１ｄは、バネ本体２１ａの外周寄りを支点とした片持ち梁状に設けられており、バネ本体２１ａの板厚方向に弾性変形可能に構成されている。そして、バネ本体２１ａにおける弾性片２１ｄを除いた外周部が前記フランジ５０の突出ボス５２の突出上面５３に固定される。
この態様により板バネ２１は、ダイナミックダンパ２０におけるバネ要素及び減衰要素として用いられる。
なお、本実施の形態において、板バネ２１の材質としてリン青銅を選定しているが、適宜選定して差し支えなく、また、板バネ２１は、フランジ５０の突出ボス５２に設置できるように形状及び寸法が設定されているが、フランジ５０の形状によって、設置方法、形状及び寸法は、適宜選定して差し支えない。更に、本実施の形態において、弾性片２１ｄは、四箇所に設けられているが、この数に限定されるものではない。
【００１９】
また、本実施の形態においては、四つの重り２２が用いられており、各重り２２は、リング状部材を略４等分した形状に形成され、上記板バネ２１における弾性片２１ｄの自由端に例えば接着により固定される。これにより、弾性片２１ｄと重り２２とが一体となって板バネ２１の板厚方向に揺動する。
なお、重り２２は、ダイナミックダンパ２０における質量要素として用いられているが、重り２２の形状、寸法、材料や、板バネ２１に対する設置方法は、適宜選定して差し支えない。
【００２０】
更に、本実施の形態において、板バネ２１のバネ定数・ダンピング量ならびに重り２２の質量は、像担持ドラム１０における外的振動要因周波数の低減用に最適化されている。この最適化は、本実施の形態では、像担持ドラム１０の固有振動数とダイナミックダンパ２０の固有振動数の比や、像担持ドラム１０とダイナミックダンパ２０の減衰係数比を最適化する方法を用いた。
【００２１】
次に、本実施の形態に係るダイナミックダンパ２０の作動について説明する。本実施の形態で用いられるダイナミックダンパ２０は、接触帯電ローラ３０に印加される交流電圧成分周波数の偶数倍の固有振動数を持つものであるが、このようなダイナミックダンパ２０を採用するに至ったのは以下のような着想による。
すなわち本実施の形態において、接触帯電ローラ３０に印加される交流電圧が放電を生じ、接触帯電ローラ３０に接触している像担持ドラム１０は、この放電による帯電・逆帯電を繰り返しながら、最終的にある帯電電圧に帯電される。したがって、接触帯電ローラ３０と像担持ドラム１０の間には、ある大きさの電界が存在しており、これによる静電力が作用している。
特に本実施の形態では、交流電圧を印加しているため、電界の強度も交番的であり、接触帯電ローラ３０と像担持ドラム１０の間に交番的な静電力（以下、交番静電力という）が作用する。この交番静電力によって像担持ドラム１０が振動し、音響を発するものと考えられる。
【００２２】
ここで、この接触帯電ローラ３０と像担持ドラム１０の間に作用する交番静電力の特徴と大きさを評価すると、交番静電力は、接触帯電ローラ３０に印加される交流電圧成分周波数の２倍の正弦波状であることが求められる。すなわち、接触帯電ローラ３０と像担持ドラム１０の間には、交流電圧成分周波数の２倍の周波数の交番応力が作用していることになる。
また、画像形成装置における振動、騒音実験から、交流電圧成分周波数の２倍の周波数が、プリンタの構造体（接触帯電ローラや像担持ドラム、現像器を含むカートリッジのカバー等）の固有振動数に一致したときに大きな共振静電振動、騒音が生じることが実験上確認されている（例えば、機械学会第７２期通常総会講演会発表、１９９５年３月３０日、「帯電ローラによるレーザプリンタの静電振動・騒音」参照。）。
一方、上記画像形成装置から接触帯電ローラ３０と像担持ドラム１０だけを取り出して放電させた場合には、振動及び騒音はほとんど生じなかったことから、この共振静電振動、騒音の原因は気体放電そのものによるものとは考えにくい。したがって、この共振静電振動、騒音を低減するためには、接触帯電ローラ３０と像担持ドラム１０の間に作用する交流電圧成分周波数の２倍の周波数を低減することが効果的であると結論できる。
【００２３】
このため、この交流電圧成分周波数の偶数倍の周波数を低減させるダイナミックダンパ２０を像担持ドラム１０におけるフランジ５０に取り付けることにより、ダイナミックダンパ２０は板バネ２１の板厚方向に振動し、像担持ドラム１０の軸方向の振動を効果的に低減することができる（図６参照）。
このとき、ダイナミックダンパ２０は、像担持ドラム１０の軸方向の振動を低減することで、結果的に像担持ドラム１０の径方向の振動成分をも間接的に低減することができる。
この態様によると、ダイナミックダンパ２０は、像担持ドラム１０の略中心部が節となる曲げ２次モードで効果を生じるが（図２（ａ）（ｂ）参照）、ダイナミックダンパ２０を最適化することで曲げ１次モードによる振動をも低減することもでき、更に取り付け性等の点で優れた態様となる。
【００２４】
◎実施の形態２
図７は、実施の形態２で用いられる円筒体の防振構造の要部を示す説明図である。
同図において、ダイナミックダンパ２０は、実施の形態１と同様な構成になっているが、取り付け態様が実施の形態１と異なる。
すなわち、ダイナミックダンパ２０は、像担持ドラム１０の軸方向両側に取り付けられ且つ同一形状で取り付け位置が異なる対構成をしているものである。
本実施の形態において、円筒体としての像担持ドラム１０は、回転するため、振動させられる位置が絶えず変化する。このとき、ダイナミックダンパ２０は、フランジ５０上或いは、像担持ドラム１０の内径上に対し、無数に取り付けられていることが理想だが、現実的には限界がある。
そこで、部品の共有化や、様々な回転角度での曲げモードに対応できるという観点から、例えば図７に示すように、実施の形態１で使用されるダイナミックダンパ２０の取り付け角度を像担持ドラム１０の左端と右端の夫々で４５°ずらして取り付ける態様とした。
なお、ダイナミックダンパ２０を構成する重り２２及び板バネ２１の材質、形状、取り付け方法等は、実施の形態１と同様に考える。
【００２５】
◎実施の形態３
図８は、実施の形態３で用いられる円筒体の防振構造の要部を示す説明図である。
本実施の形態におけるダイナミックダンパ２０は、弾性体及び剛体で構成されたものである。例えば、バネ要素及び減衰要素として弾性体であるゴム材２３を、質量要素として剛体である重り２２ａを用いたものである。
本実施の形態において、フランジ５０は、実施の形態１と同様の構成になっている（図５参照）。
また、ゴム材２３は、フランジ５０における突出ボス５２の内周面５５とフランジ本体５１の内面５６の夫々に対して係合する断面略Ｌ字状に形成され、更に、
像担持ドラム１０の周方向に対して略４等分に分割されており、フランジ５０に対して、例えば接着により固定されている。
ここで、ゴム材２３を断面略Ｌ字状に形成したのは、像担持ドラム１０の回転軸方向と径方向のいずれの方向にもバネ要素及び減衰要素として働かせるためである。
なお、本実施の形態において、ゴム材２３は、フランジ５０における突出ボス５２の内周面５５とフランジ本体５１の内面５６の夫々に係合できるよう形状及び寸法が設定されているが、フランジ５０の形状によって、設置方法、形状、寸法及び材質等は適宜選定して差し支えない。
一方、重り２２ａは、実施の形態１と略同様に形成され、ゴム材２３の内側面と２面で係合されている。また、重り２２ａの寸法、材質等は実施の形態１と同様に考える。また、ゴム材２３のバネ定数、ダンピング量及び重り２２ａの質量の最適化は、実施の形態１と同様の方法を用いた。
【００２６】
本実施の形態において、ダイナミックダンパ２０は、重り２２ａに対してゴム材２３が像担持ドラム１０の軸方向外側と径方向外側に配置されているため、像担持ドラム１０における回転軸方向の振動と、径方向の振動の二方向に対しての振動低減が可能となる。更に上記構成により、ダイナミックダンパ２０の構成が簡単になるため、製造コスト低減の点で好ましい態様となる。
【００２７】
◎実施の形態４
図９は、実施の形態４で用いられる円筒体の防振構造の要部を示す説明図である。
本実施の形態におけるダイナミックダンパ２０は、実施の形態１と略同様な構成を有しているが、実施の形態１と異なる板バネ２４を用いている。
なお、実施の形態１と同様な構成要素（フランジ５０及び重り２２）については、実施の形態１と同様な符号を付してその説明を省略する。
上記板バネ２４は、例えば、フランジ５０における突出ボス５２の外周面５４と係合するように形成されたキャップ部２４ａを有し、このキャップ部２４ａの中心部には円孔２４ｂを設け、この円孔２４ｂの周縁部には略９０°間隔で略矩形状の切欠き２４ｃを四つ設け、この切欠き２４ｃにより略４分割された弾性片２４ｄを形成したものである。
本実施の形態において、切欠き２４ｃは、キャップ部２４ａの係合面２４ｅまで達しているため、弾性片２４ｄは、像担持ドラム１０の軸方向に弾性変形が可能な状態になる。
【００２８】
また、本実施の形態において、板バネ２４は、フランジ５０における突出ボス５２の外周面５４に沿って形成されているため、板バネ２４は、外周面５４と像担持ドラム１０の内径部との間に設置される態様になる。
一方、重り２２は、実施の形態１と略同様に形成され、板バネ２４における弾性片２４ｄの自由端に設置されることにより、弾性片２４ｄと重り２２は一体となって像担持ドラム１０の軸方向に振動することになる。
このため、本実施の形態におけるダイナミックダンパ２０は、実施の形態１と同様に、像担持ドラム１０の軸方向の振動を低減することで、結果的に像担持ドラム１０の径方向の振動成分をも間接的に軽減することができる。このとき、板バネ２４の係合面２４ｅにおいて像担持ドラム１０と接している状態となるため、アース機能を備える態様としてもよい。
また、本実施の形態は、板バネ２４と重り２２を予め接着しておき、像担持ドラム１０に対するフランジ５０の取り付けと同時に、板バネ２４及び重り２２が像担持ドラム１０に固定されることにより、ダイナミックダンパ２０の取り付け性、交換性及びリサイクル性の点で好ましい態様になる。
なお、板バネ２４の材質、形状及び取り付け方法等は、適宜選定して差し支えなく、また板バネ２４と重り２２の最適化は、実施の形態１と同様に考える。
【００２９】
【発明の効果】
以上説明したように、本発明によれば、回転する円筒体において、円筒体全長に対して端から４分の１の範囲に外的振動要因周波数が減衰せしめられる固有振動数を持つダイナミックダンパを設けるようにしたので、各曲げモード（曲げ１次モード、曲げ２次モード等）による振動が生ずる円筒体の上記範囲に対し、振動を確実に低減することが可能であり、そのため、各曲げモードに対して有効に対応でき、円筒体の振動及び振動による騒音を低減することができる。
また、ダイナミックダンパは、円筒体の端部近傍に設置されるため、取り付け性、交換性及びリサイクル性の点で好ましく、簡素な構成で製造できるため、製造コストを抑えた円筒体の防振構造を構成することができる。
【図面の簡単な説明】
【図１】（ａ）は本発明に係る円筒体の防振構造を示す説明図、（ｂ）は本発明に係る画像形成装置の概要を示す説明図である。
【図２】（ａ）は円筒体の曲げ１次モードを示す説明図、（ｂ）は円筒体の曲げ２次モードを示す説明図である。
【図３】実施の形態１に係る画像形成装置の全体構成を示す説明図である。
【図４】実施の形態１で用いられる円筒体の防振構造を示す説明図である。
【図５】実施の形態１で用いられる円筒体の防振構造の分解説明図である。
【図６】実施の形態１で用いられる円筒体の防振構造の作用の説明図である。
【図７】実施の形態２で用いられる円筒体の防振構造を示す説明図である。
【図８】実施の形態３で用いられる円筒体の防振構造を示す説明図である。
【図９】実施の形態４で用いられる円筒体の防振構造を示す説明図である。
【図１０】従来技術の構成を示す説明図である。
【符号の説明】
１…円筒体，２…ダイナミックダンパ，３…外的振動要因，３ａ…接触帯電体，４…外的振動要因周波数，５…フランジ，６…記録材，７…記録材搬送部材
【図１】
2004109628.tif 000003
【図２】
2004109628.tif 000004
【図３】
2004109628.tif 000005
【図４】
2004109628.tif 000006
【図５】
2004109628.tif 000007
【図６】
2004109628.tif 000008
【図７】
2004109628.tif 000009
【図８】
2004109628.tif 000010
【図９】
2004109628.tif 000011
【図１０】
2004109628.tif 000012